(57)【要約】【課題】カタログやパンフレットへの挟み込みに適した平面的な単純構造で、簡単かつ正確に外周長を測定できる外周長測定具を提供すること。【解決手段】一端近傍を零点位置として他端に向かって外周長に対応した目盛が設けられ、測定対象に巻き付け可能な柔軟性を有する帯状部材と、この帯状部材の一端近傍に零点位置目盛を含み帯状部材と同一平坦面になるように一体形成され、測定対象に巻き付けた帯状部材の他端が摺動可能に係合される係合部とからなり、係合部の零点位置目盛と重なる位置の帯状部材の目盛を外周長とすることを特徴としたもの。【選択図】　　　　図１
2004109101.tif 000002
【特許請求の範囲】
【請求項１】
一端近傍を零点位置として他端に向かって外周長に対応した目盛が設けられ、測定対象に巻き付け可能な柔軟性を有する帯状部材と、
この帯状部材の一端近傍に零点位置目盛を含み帯状部材と同一平坦面になるように一体形成され、測定対象に巻き付けた帯状部材の他端が摺動可能に係合される係合部とからなり、
係合部の零点位置目盛と重なる位置の帯状部材の目盛を外周長とすることを特徴とする外周長測定具。
【請求項２】
前記係合部は帯状部材の長手方向と直交する窓部であることを特徴とする請求項１記載の外周長測定具。
【請求項３】
前記窓部の帯状部材の長手方向の前後には、帯状部材の他端を挿入する切り溝を設けたことを特徴とする請求項２記載の外周長測定具。
【請求項４】
前記係合部は帯状部材の長手方向と直交する切り欠き部であることを特徴とする請求項１記載の外周長測定具。
【請求項５】
前記目盛は外周の長さをミリメートルまたはインチの少なくともいずれかの単位で表示することを特徴とする請求項１から請求項４のいずれかに記載の外周長測定具。
【請求項６】
前記目盛は外周の長さを全国標準指環番型に換算した所定の号数番号であることを特徴とする請求項１から請求項４のいずれかに記載の外周長測定具。
【発明の詳細な説明】
【０００１】
【発明の属する技術分野】
本発明は、外周長測定具に関し、詳しくは例えば指輪を装着する指などの外周長の測定が簡単かつ正確に行える外周長測定具に関するものである。
【０００２】
【従来の技術】
【特許文献１】
米国特許第２２６２６６４号
【０００３】
従来から指輪の対面販売にあたっては、販売担当者が店内のカウンタなどで例えば従来慣習サイズに基づき内径に応じた所定の号数番号が付けられた「全国標準指環番型」といわれている測定リングを用いて購入者が装着しようとしている指の太さを測定し、その太さに適合するように購入予定の指輪の内径を調整することが行われている。
【０００４】
これに対し、近年の流通網や情報網の発達に伴い、ダイレクトメールのカタログや新聞掲載広告や折り込み広告やインターネットのホームページ掲載などによる指輪の通信販売も積極的に展開されつつある。
【０００５】
このような通信販売で指輪を購入するのにあたっては、購入者自身あるいは近くの人が購入者が指輪を装着しようとしている指の太さを測定し、その測定結果に基いて販売者に指輪のサイズを指定しなければならない。
【０００６】
ところが、購入者の身近には測定リングなどの適切な測定用具がないのが普通であり、指の太さの正確な測定は困難である場合が多い。これにより、購入者に届いた指輪のサイズが合わないことも多発しているものと推測される。同様な問題は、指輪を購入してから年月が経過して指の太さが変わった場合に、購入者側で指の太さを測定して以前に購入した指輪のサイズ調整を依頼するときにも発生する。
【０００７】
身近な用具で指の太さを測定する方法として、巻尺を指に巻き付けて長さを読み取ることが考えられるが、巻尺を単純に指に巻き付けると螺旋状になり、巻尺の幅が広くなると測定誤差も大きくなってしまう。
【０００８】
これに対し、特許文献１として示した米国特許第２２６２６６４号に記載されている測定用具によれば、螺旋状にならないように巻尺を指に巻き付けて太さを測定できる。図５は特許文献１に示されている測定用具の測定使用状態説明図である。テープ１の一方の面には円周長さを表す目盛が付けられ、他方の面には円周長に対応する直径を表す目盛が付けられている。
【０００９】
テープ１の零位置端部２には、図６に示すように断面形状がＬ形に形成されたＬ形部材３が取り付けられている。Ｌ形部材３は、テープ１の零位置端部２の取り付け辺４と、この取り付け辺４に対して垂直方向に設けられたフランジ５とで構成されている。これら取り付け辺４とフランジ５の間には、図示しない測定対象に巻き付けたテープ１の自由端部４を挿入するための溝６が設けられている。取り付け辺４のテープ１の自由端部４と対向する面には、テーパー７が設けられている。
【００１０】
測定対象の外周長は、測定対象に巻き付けたテープ１の自由端部４をＬ形部材３の溝６に挿入して引き出した状態で、フランジ５の溝６側のエッジと交差する位置のテープ１の目盛から読み取ることができる。
【００１１】
特許文献１に示されているこのような従来の構成の測定用具によれば、テープ１を指に巻き付けても螺旋になることはなく、比較的簡単かつ迅速に指の外周長すなわち太さを正確に測定できる。
【００１２】
【発明が解決しようとする課題】
しかし、特許文献１に示されている測定用具は、テープ１とＬ形部材３との２つの部品を組み合わせた３次元の立体構造であり、テープ１の端部をＬ形部材３に取り付けるための工数が発生する。
【００１３】
また、指輪の通信販売にあたって、これを購入者の指の太さを測定するための用具としてカタログやパンフレットに挟み込もうとすると、Ｌ形部材３が嵩張ることになり、好ましくない。
【００１４】
本発明は、これらの問題を解決するためになされたもので、その目的は、カタログやパンフレットへの挟み込みに適した平面的な単純構造で、簡単かつ正確に外周長を測定できる外周長測定具を提供することにある。
【００１５】
【課題を解決するための手段】
このような目的を達成する請求項１の発明は、
一端近傍を零点位置として他端に向かって外周長に対応した目盛が設けられ、測定対象に巻き付け可能な柔軟性を有する帯状部材と、
この帯状部材の一端近傍に零点位置目盛を含み帯状部材と同一平坦面になるように一体形成され、測定対象に巻き付けた帯状部材の他端が摺動可能に係合される係合部とからなり、
係合部の零点位置目盛と重なる位置の帯状部材の目盛を外周長とすることを特徴とする外周長測定具である。
【００１６】
このような外周長測定具によれば、測定対象に巻き付けた帯状部材の他端が係合部に挿入されることから帯状部材が測定対象に螺旋状に巻き付けられることはなく、測定対象の外周長を正確に測定できる。そして、帯状部材と係合部は同一平坦面になるように一体形成されるので、カタログやパンフレットに挟み込んだ場合にも嵩張ることはなく、通信販売用の添付に好適である。
【００１７】
請求項２の発明は、請求項１記載の外周長測定具において、前記係合部は帯状部材の長手方向と直交する窓部であることを特徴とする。
【００１８】
この構成によれば、係合部の零点位置目盛を窓の両側に設けることができ、両側の零点位置目盛で挟まれた位置の帯状部材の目盛をより正確に読み取ることができる。
【００１９】
請求項３の発明は、請求項２記載の外周長測定具において、前記窓部の帯状部材の長手方向の前後には、帯状部材の他端を挿入する切り溝を設けたことを特徴とする。
【００２０】
この構成によれば、窓部の前後の切り溝は、帯状部材が係合部である窓部に対して蛇行することなく安定に直進するように案内するガイドとして機能する。
【００２１】
請求項４の発明は、請求項１記載の外周長測定具において、前記係合部は帯状部材の長手方向と直交する切り欠き部であることを特徴とする。
【００２２】
この構成によれば、測定対象に巻き付けた帯状部材を係合部に対して簡単に出し入れできる。
【００２３】
請求項５の発明は、請求項１から請求項４のいずれかに記載の外周長測定具において、前記目盛は外周の長さをミリメートルまたはインチの少なくともいずれかの単位で表示することを特徴とする。
【００２４】
請求項６の発明は、請求項１から請求項４のいずれかに記載の外周長測定具において、前記目盛は外周の長さを全国標準指環番型に換算した所定の号数番号であることを特徴とする。
【００２５】
これらにより、測定対象の外周の長さを測定目的に合致した所定の単位で読み取り測定できる。
【００２６】
【発明の実施の形態】
以下図面を用いて本発明を詳しく説明する。図１は本発明に係る外周長測定具の実施の一形態例を示す平面図、図２は使用例を示す斜視図である。
帯状部材１０は、図示しない測定対象に巻き付け可能なように柔軟性を有し伸縮性の小さな材質、例えば紙、合成樹脂シート、不織布、金属シートなどで形成されている。なお、紙は、耐水性を高めたり折り目がつきにくいように、表面を合成樹脂部材でコーティング加工したものでもよい。
【００２７】
帯状部材１０には、一端Ａ近傍を零点位置として他端Ｂに向かって外周長に対応した目盛１１が設けられている。帯状部材１０の一端Ａ近傍には、測定対象に巻き付けた帯状部材の他端Ｂが摺動可能に係合される係合部１２が形成されている。
【００２８】
係合部１２は、零点位置目盛１３を含み帯状部材１０と同一平坦面になるように一体形成されている。図１・図２の実施例では、係合部１２は帯状部材１０の長手方向と直交する窓部として形成されている。そして、この窓部の帯状部材１０の長手方向の前後には、帯状部材の他端を挿入する切り溝１４・１５が設けられている。
【００２９】
測定対象の外周長を測定するのにあたっては、測定対象に巻き付けた帯状部材１０の自由端Ｂを帯状部材１０の表面から裏面に向かうように切り溝１４に挿入し、そのまま窓部の下部を通過して切り溝１５に到達すると裏面から再び表面に向かうように切り溝１５に挿入する。
【００３０】
このような構成によれば、測定対象に巻き付けた帯状部材１０の他端Ｂが係合部に摺動可能に係合されるので帯状部材１０が測定対象に螺旋状に巻き付けられることはなく、測定対象の外周長を正確に測定できる。そして、帯状部材１０と係合部１２は同一平坦面になるように一体形成されているので、カタログやパンフレットに挟み込んだ場合にも特許文献１に示されている測定用具のように嵩張ることはない。
【００３１】
また、係合部１２を帯状部材１０の長手方向と直交する窓部として形成することにより零点位置目盛１３を窓の両側に対向するように設けることができ、両側の零点位置目盛１３で挟まれた位置の帯状部材１０の目盛１１をより正確に読み取ることができる。
【００３２】
さらに、窓部の帯状部材１０の長手方向の前後に帯状部材１０の他端Ｂを挿入する切り溝１４・１５を設けていることにより、帯状部材１０はこれら切り溝１４・１５をガイドとして、窓部に対して蛇行することなく安定に直進することができる。
【００３３】
図３は本発明に係る外周長測定具の他の実施形態例を示す平面図、図４は使用例を示す斜視図である。図３・図４の実施例では、係合部１２は帯状部材１０の長手方向と直交する切り欠き部として形成されている。
【００３４】
測定対象の外周長を測定するのにあたっては、測定対象に巻き付けた帯状部材１０の切り欠き部と対向する部分をそのまま直接切り欠き部に差し込み、零点位置目盛１３と重なる位置の帯状部材１０の目盛１１を読み取る。
【００３５】
帯状部材１０の目盛１１は、外周の長さをミリメートルまたはインチの少なくともいずれかの単位で表示したものであってもよいし、全国標準指環番型に換算した所定の号数番号で表示したものであってもよく、測定目的に合致した所定の単位のものを用いればよい。
【００３６】
なお、上記各実施例ではいずれも指の外周・太さを測定対象とする例について説明したが、従来から用いられている巻尺と同様に、指以外の各種測定対象の外周長さも正確に測定できる。
【００３７】
【発明の効果】
以上説明したように、本発明によれば、カタログやパンフレットへの挟み込みに適した平面的な単純構造で、簡単かつ正確に外周長を測定できる外周長測定具を提供することができる。
【００３８】
このような測定用具を利用することにより、指輪の通信販売において販売者・購入者双方が安心して取引することができ、指輪のサイズ調整にあたっても依頼者側で適切なサイズ測定が行えることから業者側としても満足度の高いサイズ調整結果が得られる。
【図面の簡単な説明】
【図１】本発明に係る外周長測定具の実施の一形態例を示す平面図である。
【図２】図１の使用例を示す斜視図である。
【図３】本発明の他の実施の形態例を示す平面図である。
【図４】図３の使用例を示す斜視図である。
【図５】特許文献１に示されている測定用具の測定使用状態の説明図である。
【図６】特許文献１に示されている測定用具を構成するＬ形部材３の拡大斜視図である。
【符号の説明】
１０　　帯状部材
１１　　目盛
１２　　係合部
１３　　零点位置目盛
１４，１５　切り溝
【図１】
2004109101.tif 000003
【図２】
2004109101.tif 000004
【図３】
2004109101.tif 000005
【図４】
2004109101.tif 000006
【図５】
2004109101.tif 000007
【図６】
2004109101.tif 000008